【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
画像処理条件を規定する画像処理制御情報を用いて、画像データに対する画像処理を施し、接続されている画像出力装置に対して画像処理を施した画像データを出力する画像処理装置であって、
前記画像データを取得する画像データ取得手段と、
前記取得された画像データに関連付けられている前記画像処理制御情報を取得する画像処理制御情報取得手段と、
画像出力装置の画像出力特性に合わせて前記画像処理制御情報を修正するための修正情報を、前記画像出力装置に応じて取得する修正情報取得手段と、
前記取得された修正情報を用いて前記取得された画像処理制御情報を修正する画像処理制御情報修正手段と、
前記修正された画像処理制御情報を用いて、前記取得された画像データに対して画像処理を実行する画像処理手段と、
前記画像処理が施された画像データを前記画像出力装置に出力する画像データ出力手段とを備える画像処理装置。
【請求項２】
請求項１に記載の画像処理装置において、
前記画像処理制御情報は第１の画像出力装置の画像出力特性に合わせて生成されており、
前記画像処理装置に接続されている前記画像出力装置は、前記第１の画像出力装置とは異なる画像出力特性を有する第２の画像出力装置であり、
前記修正情報は、前記第２の画像出力装置の出力画像を前記第１の画像出力装置の出力画像に近づけるための情報である画像処理装置。
【請求項３】
請求項２に記載の画像処理装置において、
前記第１の画像出力装置は印刷装置であり、
前記第２の画像出力装置は小画面表示装置であり、
前記画像処理制御情報には前記画像データに対するノイズ除去処理およびシャープネス処理の少なくとも一方について実行するか否かが記述されており、
前記画像処理制御情報の修正は、前記画像データに対するノイズ除去処理およびシャープネス処理の少なくとも一方を実行させないよう前記画像処理制御情報を修正することによって実行される画像処理装置。
【請求項４】
請求項２または請求項３に記載の画像処理装置において、
前記画像処理手段は、
前記画像データを解析して画質に関わる特徴量を取得する解析手段と、
画質の基準となる基準量と前記取得された特徴量とを用いて前記画像データに対して  適用する補正量を決定する決定手段と、
前記修正された画像処理制御情報を用いて前記決定された補正量を変更する補正量変  更手段とを備え、
前記変更された補正量を前記画像データに適用して前記画像データに対する画像処理を実行する画像処理装置。
【請求項５】
請求項２または請求項３に記載の画像処理装置において、
前記画像処理手段は、
前記画像データを解析して、画像データの画質を示す複数の画質パラメータについて  それぞれ解析値を取得する解析手段と、
前記複数の画質パラメータの基準となる複数の基準値を取得する基準値取得手段と、
前記取得された複数の基準値と、前記取得された複数の解析値とを用いて前記画像デ  ータの複数の画質パラメータに対する補正量を決定する補正量決定手段と、
前記修正された画像処理制御情報を用いて前記決定された補正量を変更する補正量変  更手段とを備え、
前記変更された補正量を前記画像データの複数の画質パラメータに適用して前記画像データに対する画像処理を実行する画像処理装置。
【請求項６】
請求項１ないし請求項５のいずれかに記載の画像処理装置はさらに、
前記修正情報を格納する修正情報格納手段を備え、
前記修正情報取得手段は前記修正情報格納手段から前記修正情報を取得する画像処理装置。
【請求項７】
請求項１ないし請求項５のいずれかに記載の画像処理装置において、
前記修正情報は、前記画像処理制御情報に含まれている画像処理装置。
【請求項８】
請求項１ないし請求項５のいずれかに記載の画像処理装置はさらに、
前記接続されている画像出力装置の画像出力特性に基づいて前記修正情報を生成する修正情報生成手段を備え、
前記修正情報取得手段は前記修正情報生成手段によって生成された前記修正情報を取得する画像処理装置。
【請求項９】
画像処理条件を規定する画像処理制御情報および撮影時における撮影情報の少なくとも一方を用いて、画像データに対する画像処理を施し、接続されている画像出力装置に対して画像処理を施した画像データを出力する画像処理装置であって、
前記画像データを取得する画像データ取得手段と、
前記取得された画像データに関連付けられている前記画像処理制御情報および前記撮影情報の少なくとも一方を取得する関連情報取得手段と、
前記取得された前記画像処理制御情報および前記撮影情報の少なくとも一方を用いて前記取得された画像データに対して適用する補正量を決定する補正量決定手段と、
画像出力装置の画像出力特性に合わせて前記決定された補正量を修正するための修正情報を、前記画像出力装置に応じて取得する修正情報取得手段と、
前記取得された修正情報を用いて前記補正量を修正する補正量修正手段と、
前記修正された補正量を用いて、前記取得された画像データに対して画像処理を実行する画像処理手段と、
前記画像処理が施された画像データを前記画像出力装置に出力する画像データ出力手段とを備える画像処理装置。
【請求項１０】
請求項９に記載の画像処理装置において、
前記補正量は第１の画像出力装置の画像出力特性に基づいて決定されており、
前記画像処理装置に接続されている前記画像出力装置は、前記第１の画像出力装置とは異なる画像出力特性を有する第２の画像出力装置であり、
前記修正情報は、前記第２の画像出力装置の出力画像を前記第１の画像出力装置の出力画像に近づけるために前記補正量を修正するための情報である画像処理装置。
【請求項１１】
請求項１０に記載の画像処理装置において、
前記第１の画像出力装置は印刷装置であり、
前記第２の画像出力装置は小画面表示装置であり、
前記補正量の決定は、前記画像データに対するノイズ除去処理およびシャープネス処理の少なくとも一方についての補正量の決定を含み、
前記補正量の修正は、前記決定された補正量にかかわらず、前記画像データに対するノイズ除去処理およびシャープネス処理の少なくとも一方を実行させないよう前記補正量を修正することによって実行される画像処理装置。
【請求項１２】
請求項９ないし請求項１１のいずれかに記載の画像処理装置において、
前記補正量決定手段は、
前記画像データを解析して、画像データの画質を示す複数の画質パラメータについて  それぞれ解析値を取得する解析手段と、
前記複数の画質パラメータの基準となる複数の基準値を取得する基準値取得手段と、
前記画像処理制御情報および前記撮影情報の少なくとも一方と、前記取得された複数  の基準値と、前記取得された複数の解析値とを用いて前記画像データの複数の画質パラ  メータに対するパラメータ補正量を決定するパラメータ補正量決定手段とを備え、
前記補正量修正手段による前記補正量の修正は、前記パラメータ補正量を修正することにより実行され、
前記画像処理手段による前記画像データに対する画像処理は、前記修正されたパラメータ補正量を前記画像データの複数の画質パラメータに適用することにより実行される画像処理装置。
【請求項１３】
請求項９ないし請求項１２のいずれかに記載の画像処理装置はさらに、
前記修正情報を格納する修正情報格納手段を備え、
前記修正情報取得手段は前記修正情報格納手段から前記修正情報を取得する画像処理装置。
【請求項１４】
請求項９ないし請求項１２のいずれかに記載の画像処理装置はさらに、
前記接続されている画像出力装置の画像出力特性に基づいて前記修正情報を生成する修正情報生成手段を備え、
前記修正情報取得手段は前記修正情報生成手段によって生成された前記修正情報を取得する画像処理装置。
【請求項１５】
印刷装置の画像出力特性を反映した画像処理条件を規定する画像処理制御情報と関連付けられた画像データを用いて、画像を表示する表示装置であって、
前記画像データを取得する画像データ取得手段と、
前記取得された画像データに関連付けられている前記画像処理制御情報を取得する画像処理制御情報取得手段と、
表示装置の画像出力特性を反映した内容となるように前記画像処理制御情報を修正する修正情報を取得する修正情報取得手段と、
前記取得された修正情報を用いて前記取得された画像処理制御情報を修正する画像処理制御情報修正手段と、
前記修正された画像処理制御情報を用いて、前記取得された画像データに対して画像処理を実行する画像処理手段と、
前記画像処理が施された画像データを用いて画像を出力する画像出力手段とを備える表示装置。
【請求項１６】
請求項１５に記載の表示装置において、
前記画像処理手段は、
前記画像データを解析して画質に関わる特徴量を取得する解析手段と、
画質の基準となる基準量と前記取得された特徴量とを用いて前記画像データに対して  適用する補正量を決定する補正量決定手段と、
前記修正された画像処理制御情報を用いて前記決定された補正量を変更する補正量変  更手段とを備え、
前記変更された補正量を前記画像データに適用して前記画像データに対する画像処理を実行する表示装置。
【請求項１７】
請求項１５に記載の表示装置において、
前記画像処理手段は、
前記画像データを解析して、画像データの画質を示す複数の画質パラメータについて  それぞれ解析値を取得する解析手段と、
前記複数の画質パラメータの基準となる複数の基準値を取得する基準値取得手段と、
前記取得された複数の基準値と、前記取得された複数の解析値とを用いて前記画像デ  ータの複数の画質パラメータに対する補正量を決定する補正量決定手段と、
前記修正された画像処理制御情報を用いて前記決定された補正量を変更する補正量変  更手段とを備え、
前記変更された補正量を前記画像データの複数の画質パラメータに適用して前記画像データに対する画像処理を実行する表示装置。
【請求項１８】
請求項１７に記載の表示装置において、
前記補正量の決定は、前記取得された複数の基準値と前記取得された複数の解析値との偏差が低減または解消されるように実行される表示装置。
【請求項１９】
請求項１８に記載の表示装置において、
前記画質パラメータには、ノイズおよびシャープネスのパラメータの少なくとも一方が含まれており、
前記画像処理制御情報の修正は、前記ノイズおよびシャープネスのパラメータの少なくとも一方について、補正量を０にすることにより実行される表示装置。
【請求項２０】
請求項１５ないし請求項１８のいずれかに記載の表示装置はさらに、
前記修正情報を格納する修正情報格納手段を備え、
前記修正情報取得手段は前記修正情報格納手段から前記修正情報を取得する表示装置。
【請求項２１】
画像処理条件を規定する画像処理制御情報を用いて、画像データに対する画像処理を施す画像処理方法であって、
前記画像データを取得し、
前記取得した画像データに関連付けられている前記画像処理制御情報を取得し、
画像処理を施した画像データの出力対象となる画像出力装置に適合する、画像出力装置の画像出力特性に合わせて前記画像処理制御情報を修正するための修正情報を取得し、
前記取得した修正情報を用いて前記取得された画像処理制御情報を修正し、
前記修正した画像処理制御情報を用いて、前記取得された画像データに対して画像処理を実行する画像処理方法。
【請求項２２】
画像処理条件を規定する画像処理制御情報および撮影時における撮影情報の少なくとも一方を用いて、画像データに対する画像処理を施す画像処理方法であって、
前記画像データを取得し、
前記取得した画像データに関連付けられている前記画像処理制御情報および前記撮影情報の少なくとも一方を取得し、
前記取得した前記画像処理制御情報および前記撮影情報の少なくとも一方を用いて前記取得された画像データに対して適用する補正量を決定し、
画像処理を施した画像データの出力対象となる画像出力装置に適合する、画像出力装置の画像出力特性に合わせて前記決定された補正量を修正するための修正情報を取得し、
前記取得した修正情報を用いて前記補正量を修正し、
前記修正した補正量を用いて、前記取得された画像データに対して画像処理を実行する画像処理方法。
【請求項２３】
印刷装置の画像出力特性を反映した画像処理条件を規定する画像処理制御情報と関連付けられた画像データを用いて、画像を表示する表示方法であって、
前記画像データを取得し、
前記取得した画像データに関連付けられている前記画像処理制御情報を取得し、
表示装置の画像出力特性を反映した内容となるように前記画像処理制御情報を修正する修正情報を取得し、
前記取得した修正情報を用いて前記取得した画像処理制御情報を修正し、
前記修正した画像処理制御情報を用いて、前記取得された画像データに対して画像処理を実行し、
前記画像処理を施した画像データを用いて画像を出力する表示方法。
【請求項２４】
画像処理条件を規定する画像処理制御情報および撮影時における撮影情報の少なくとも一方を用いて、画像データに対する画像処理を施し、画像出力装置に対して画像処理を施した画像データを出力する画像処理装置であって、
前記画像データを取得する画像データ取得手段と、
前記取得された画像データに関連付けられている前記画像処理制御情報および前記撮影情報の少なくとも一方を取得する関連情報取得手段と、
前記取得された前記画像処理制御情報および前記撮影情報の少なくとも一方と、画像出力装置の画像出力特性を反映するための修正情報とを用いて、前記取得された画像データに対して画像処理を実行する画像処理手段と、
前記画像処理が施された画像データを前記画像出力装置に出力する画像データ出力手段とを備える画像処理装置。
【請求項２５】
請求項２４に記載の画像処理装置において、
前記画像処理手段は、
前記取得された前記画像処理制御情報および前記撮影情報の少なくとも一方を用いて、前記画像データに対して適用する補正量を決定する補正量決定手段と、
前記修正情報を用いて前記決定された補正量を修正する補正量修正手段とを備える画像処理装置。
【請求項２６】
請求項２５に記載の画像処理装置において、
前記決定された補正量は、第１の画像出力装置の画像出力特性を反映しており、
前記画像処理装置から画像データが出力される前記画像出力装置は、前記第１の画像出力装置とは異なる画像出力特性を有する第２の画像出力装置であり、
前記修正情報は、前記第２の画像出力装置の出力画像を前記第１の画像出力装置の出力画像に近づけるために前記決定された補正量を修正するための情報である画像処理装置。
【請求項２７】
請求項２６に記載の画像処理装置において、
前記第１の画像出力装置は印刷装置であり、
前記第２の画像出力装置は小画面表示装置であり、
前記修正前の補正量の算出は、前記画像データに対するノイズ除去処理およびシャープネス処理の少なくとも一方についての補正量の算出を含み、
前記補正量の修正は、前記決定された補正量にかかわらず、前記画像データに対するノイズ除去処理およびシャープネス処理の少なくとも一方を実行させないよう前記補正量を修正することによって実行される画像処理装置。
【請求項２８】
画像処理条件を規定する画像処理制御情報および撮影時における撮影情報の少なくとも一方が関連付けられた画像データを用いて、画像を表示する画像表示装置であって、
前記画像データを取得する画像データ取得手段と、
前記取得された画像データに関連付けられている前記画像処理制御情報および前記撮影情報の少なくとも一方を取得する関連情報取得手段と、
前記取得された前記画像処理制御情報および前記撮影情報の少なくとも一方と、前記画像表示装置の画像出力特性を反映するための修正情報とを用いて前記画像データに対して画像処理を実行する画像処理手段と、
前記画像処理が施された画像データを用いて画像を出力する画像出力手段とを備える画像表示装置。
【請求項２９】
画像処理条件を規定する画像処理制御情報および撮影時における撮影情報の少なくとも一方が関連付けられた画像データを用いて、画像を媒体上に印刷する印刷装置であって、
前記画像データを取得する画像データ取得手段と、
前記取得された画像データに関連付けられている前記画像処理制御情報および前記撮影情報の少なくとも一方を取得する関連情報取得手段と、
前記取得された前記画像処理制御情報および前記撮影情報の少なくとも一方と、前記印刷装置の画像出力特性を反映するための修正情報とを用いて前記画像データに対して画像処理を実行する画像処理手段と、
前記画像処理が施された画像データを用いて画像を媒体上に印刷する印刷手段とを備える印刷装置。